(57)【要約】【課題】  改札機部の使用場所が固定されることなく、所望する場所での使用を可能とする。【解決手段】  固定的に設けられたポール４と、このポール４に着脱自在に設けられ、無線媒体から無線送信される情報をアンテンナ１１で受信し、この受信情報に基づいて改札する改札機部７とを具備する。【選択図】      図１
2005190117.tif 000002
【特許請求の範囲】
【請求項１】
固定的に設けられた支持部材と、
この支持部材に着脱自在に設けられ、無線媒体から無線送信される情報をアンテンナで受信し、この受信情報に基づいて改札する改札手段と
を具備することを特徴とする無線改札装置。
【請求項２】
固定的に設けられた複数の支持部材と、
これら複数の支持部材に着脱自在に設けられ、無線媒体から無線送信される情報をアンテンナで受信し、この受信情報に基づいて改札する複数の改札手段と
を具備することを特徴とする無線改札装置。
【請求項３】
前記改札手段は前記アンテナの受信情報に基づいて通行の可否を表示する表示部を有することを特徴とする請求項１又は２の何れか一項に記載の無線改札装置。
【請求項４】
固定的に設けられた複数の支持部材と、
これら複数の支持部材に着脱自在に設けられ、無線媒体から無線送信される情報をアンテンナで受信し、この受信情報に基づいて改札する複数の改札手段と、
これら改札手段と無線通信手段を介して接続され、前記改札手段との間で改札情報を送受信する情報処理手段と
を具備することを特徴とする無線改札システム。
【発明の詳細な説明】
【技術分野】
【０００１】
本発明は、例えば、鉄道等の交通機関で使用される簡易型の無線改札装置及び無線改札システムに関する。
【背景技術】
【０００２】
鉄道等の交通機関で使用されている自動改札機は、投入された乗車券に記録されている磁気情報を読み取り、通行の可否を判定するとともに必要に応じて投入された乗車券に磁気情報の記録、パンチ印刷を施している。
【０００３】
この自動改札機には、無線交信により乗車券の情報を読み取り、非接触で通行の可否を判定できるようにしたものもある。
【０００４】
このような、非接触型の自動改札機には、簡易型と呼ばれる非接触型専用の装置がある。この非接触型専用の自動改札機には、通行を阻止する扉等はなく通行の可否等は表示パネル等により監視されている。
【０００５】
ところで、簡易型の自動改札機は、通常、支持部材としてのポールを備え、このポールに改札機部を取付けている。改札機部には無線交信により乗車券の情報を読み取る交信用のアンテナと、読取情報に基づく判定結果を表示する表示パネルと、上位機と無線接続される接続部等が備えられている。
【発明の開示】
【発明が解決しようとする課題】
【０００６】
しかしながら、従来においては、改札口の床面に固定されるポールに改札機部を固定的に取付けていたため、ポールの位置でしか使用することができないものとなっていた。このため、改札機部の使用場所が固定され、所望する場所での使用ができず、利用効率が悪いものとなっていた。
【０００７】
本発明は上記事情に着目してなされたもので、その目的とするところは、改札機部の使用場所が固定されることなく、所望する場所での使用を可能とする無線改札機を提供することにある。
【課題を解決するための手段】
【０００８】
上記課題を解決するため、請求項１記載のものは、固定的に設けられた支持部材と、この支持部材に着脱自在に設けられ、無線媒体から無線送信される情報をアンテンナで受信し、この受信情報に基づいて改札する改札手段とを具備することを特徴とする。
【０００９】
請求項２記載のものは、固定的に設けられた複数の支持部材と、これら複数の支持部材に着脱自在に設けられ、無線媒体から無線送信される情報をアンテンナで受信し、この受信情報に基づいて改札する複数の改札手段とを具備することを特徴とする。
【００１０】
請求項４記載のものは、固定的に設けられた複数の支持部材と、これら複数の支持部材に着脱自在に設けられ、無線媒体から無線送信される情報をアンテンナで受信し、この受信情報に基づいて改札する複数の改札手段と、これら改札手段と無線ランを介して接続され、前記改札手段との間で改札情報を送受信する情報処理手段とを具備することを特徴とする。
【発明の効果】
【００１１】
本発明は、支持手段に対し改札手段を着脱自在に設けるため、必要に応じて改札手段を支持手段から取り外して所望する場所で使用することができ、改札手段の利用効率を向上させることができる。
【発明を実施するための最良の形態】
【００１２】
以下、本発明を図面に示す実施の形態を参照して詳細に説明する。  
図１は本発明の一実施の形態である簡易型の無線改札機１が駅の改札口２に配置された状態を示す外観斜視図である。
【００１３】
この無線改札機１は利用客の通行方向に対して直交する方向に所定間隔を存して複数配設され、利用客の無線媒体としての乗車券から無線通信によって改札情報を読取り、この読取情報に基づいて改札口２から駅構内への入退場を許可し或いは規制するようになっている。この簡易型の無線改札機１では通行阻止用の扉等はなく、後述するように表示等により通行を規制する。
【００１４】
無線改札機１は改札口２に固定的に設置される支持手段としてのポール４を備え、このポール４の上端部には、取付具５を介して改札手段としての改札機部７が着脱自在に取付けられている。改札機部７は交信部８と表示部９を有して構成されている。
【００１５】
図２は改札機部７を拡大して示す斜視図である。
【００１６】
交信部８はその上面部の一側部側に交信用のアンテナ１１を有し、他側部側に表示ランプ１２、スピーカの音声発生部１３、ＬＥＤランプ１４などを配設している。
【００１７】
交信用のアンテナ１１は利用客によってかざされる乗車券から無線通信によって改札情報を読取るものである。表示ランプ１２は、利用客に対し操作の指示、例えばもう一度乗車券をかざして下さい等の表示を行うものである。ＬＥＤランプ１４は入退場が許可された場合に、点灯表示するものである。
【００１８】
表示部９の前面部には、表示パネル１６が設けられている。表示パネル１６は入退場が許可できない場合にその旨を表示し、許可できた場合には「有り難う御座いました」等を表示するものである。
【００１９】
なお、通行可否の判定結果は、駅員室に配置される監視パネルや表示器等に表示される。
【００２０】
ところで、上記した改札機部７は取付具５をポール４から外すことにより、取り外されるようになっている。
【００２１】
また、改札機部７の交信部８と表示部９は、ヒンジ１８を介して回動可能に連結され、改札機部７は取り外されたのち、ヒンジ１８を中心として交信部８と表示部９を回動させることにより、例えば、図３に示すように卓上型、或いは図４に示すように壁掛型として使用することができる。
【００２２】
上記した複数台の改札機部７は図４に示すように無線ＬＡＮ２０を介して情報処理手段としての情報処理部２１に接続され、複数台の改札機部７と情報処理部２１との間で改札情報が送受信されて情報処理されるようになっている。
【００２３】
次に、上記した簡易型の無線改札機１の使用例について説明する。
【００２４】
第１の使用例としては、比較的利用者の少ない普段の日は改札機部７をポール４から取り外して改札機部７の台数を制限し、ある特定日の利用客が多い場合には、複数台の改札機部７を全てポール４に取付けて並べて使用する。
【００２５】
第２の使用例としては、駅員室に駅員がいる場合にはポール４から改札機部７を取り外し、この改札機部７を駅員室前に設置して使用し、駅員が不在の場合には、改札機部７をポール４に取付けて使用する。
【００２６】
第３の使用例としては、利用者が車椅子利用者や、幼児利用者等の際には、ポール４から改札機部７を取り外し、この取り外した改札機部７を車椅子利用者や、幼児利用者の高さに合わせて設置して使用する。この使用時における運用上の改札データの送受信は改札機部７を取り外して設置した場所でそのまま可能である。
【００２７】
上記したように、この実施の形態によれば、ポール４に対して改札機部７を着脱自在に設けるため、改札機部７をポール４から取り外すことにより、所望する場所での使用が可能となり、その利用効率を大幅に向上することができる。
【００２８】
なお、本発明は、上記一実施の形態に限られることなく、その要旨の範囲内で種々変形実施可能なことは勿論である。
【図面の簡単な説明】
【００２９】
【図１】本発明の一実施の形態である簡易型の無線改札機の配置構成を示す外観斜視図。
【図２】同簡易型無線改札機の改札機部を拡大して示す斜視図。
【図３】同改札機部をポールから取り外して卓上型として使用する状態を示す斜視図。
【図４】同改札機部をポールから取り外して壁掛け型として使用する状態を示す斜視図。
【図５】同改札機部と情報処理部との接続構成を示すブロック図。
【符号の説明】
【００３０】
４…ポール（支持部材）、７…改札機部（改札手段）、９…表示部、１１…アンテンナ、２０…無線ＬＡＮ（無線通信手段）、２１…情報処理手段。
【図１】
2005190117.tif 000003
【図２】
2005190117.tif 000004
【図３】
2005190117.tif 000005
【図４】
2005190117.tif 000006
【図５】
2005190117.tif 000007